(57)【要約】  出力対象となる出力単位を決定するステップと、提供可能な出力空間内に出力を行い、提供可能な出力空間内に出力されている内容が現在出力内容となるステップと、出力対象となる出力単位に占められた出力空間が提供可能な出力空間より大きい場合、現在出力内容を所定の方法で位置指示ウインドウにマッピングして指示マークで表し、指示マークの位置指示ウインドウにおける相対位置は、現在出力内容の、出力対象となる出力単位における相対位置を反映するステップと、を含む位置指示方法を開示している。
2009534724.tif 000002
【特許請求の範囲】
【請求項１】
位置指示方法であって、
出力対象となる出力単位を決定するステップと、
提供可能な出力空間内に出力を行い、前記提供可能な出力空間内に出力されている内容が現在出力内容となるステップと、
出力対象となる出力単位に占められた出力空間が提供可能な出力空間より大きい場合、現在出力内容を所定の方法で位置指示ウインドウにマッピングして指示マークで表し、前記指示マークの位置指示ウインドウにおける相対位置は、現在出力内容の、出力対象となる出力単位における相対位置を反映するステップと、
を含むことを特徴とする方法。
【請求項２】
現在出力内容が変化した場合、前記指示マークの前記位置指示ウインドウにおける相対位置を、前記所定の方法で相応に変更するステップをさらに含むことを特徴とする請求項１に記載の方法。
【請求項３】
指示マークを移動して、前記指示マークの位置指示ウインドウにおける位置が変化した場合、前記所定の方法で前記出力対象となる出力単位から対応の内容を選択して、提供可能な出力空間内に出力を行うステップをさらに含むことを特徴とする請求項１に記載の方法。
【請求項４】
出力が表示出力である場合、
前記出力対象となる出力単位を決定するステップは、表示対象となる表示単位を決定することを含み、
前記提供可能な出力空間内に出力を行うステップは、ウインドウに表示を行い、前記ウインドウ内に表示されている内容が現在ページとなることを含み、
表示対象となる表示単位に占められた表示空間が前記ウインドウの空間より大きい場合、現在ページを所定の方法で位置指示ウインドウにマッピングして指示マークで表し、前記指示マークの位置指示ウインドウにおける相対位置は、現在ページの、表示対象となる表示単位における相対位置を反映する、
ことを特徴とする請求項１に記載の方法。
【請求項５】
現在ページまたは出力対象となる出力単位を移動して、現在ページが変化した場合、前記指示マークの前記位置指示ウインドウにおける相対位置を、前記所定の方法で相応に変更することをさらに含むことを特徴とする請求項４に記載の方法。
【請求項６】
指示マークを移動して、前記指示マークの位置指示ウインドウにおける位置が変化した場合、前記所定の方法で前記表示対象となる表示単位から対応のページを選択して、ウインドウに表示を行うことをさらに含むことを特徴とする請求項４に記載の方法。
【請求項７】
出力が印刷出力である場合、
前記出力対象となる出力単位を決定するステップは、印刷対象となる印刷単位を決定することを含み、
前記提供可能な出力空間内に出力を行うステップは、印刷ヘッドに印刷を行い、前記印刷ヘッドに印刷されている内容が現在印刷ページとなることを含み、
印刷対象となる印刷単位に占められた印刷空間が提供可能な印刷空間より大きい場合、現在印刷ページを所定の方法で位置指示ウインドウにマッピングして指示マークで表し、前記指示マークの位置指示ウインドウにおける相対位置は、現在印刷ページの、印刷対象となる印刷単位における相対位置を反映する、
ことを特徴とする請求項１に記載の方法。
【請求項８】
出力がキャッシュ出力である場合、
前記出力対象となる出力単位を決定するステップは、キャッシュ対象となるキャッシュ単位を決定することを含み、
前記提供可能な空間内に出力を行うステップは、メモリにキャッシュを行い、前記メモリにキャッシュされている内容が現在キャッシュ内容となることを含み、
キャッシュ対象となるキャッシュ単位に占められたキャッシュ空間が提供可能なキャッシュ空間より大きい場合、現在キャッシュ内容を所定の方法で位置指示ウインドウにマッピングして指示マークで表し、前記指示マークの位置指示ウインドウにおける相対位置は、現在キャッシュ内容の、キャッシュ対象となるキャッシュ単位における相対位置を反映する、
ことを特徴とする請求項１に記載の方法。
【請求項９】
前記位置指示ウインドウまたは指示マークは、正方形、矩形、六角形、多角形、曲線多角形、楕円形、円形、その他の図形またはこれらの組合せを含む任意の形状、或いは、種々の線、面、体、色の１つまたは組合せ、或いは、輝度、諧調、コントラスト、透明度の１つまたは組合せを含む任意の表示方式を有することを特徴とする請求項１〜８のいずれか１項に記載の方法。
【請求項１０】
位置指示装置であって、
出力対象となる出力単位に占められた出力空間が提供可能な出力空間より大きいかどうかを判断し、出力対象となる出力単位に占められた出力空間が提供可能な出力空間より大きい場合、位置指示処理手段を呼び出す判断手段と、
判断手段に接続され、提供可能な出力空間内に出力されている現在出力内容を所定の方法で位置指示表示手段にマッピングして指示マークで表す位置指示処理手段と、
位置指示処理手段に接続され、位置指示ウインドウを出力し、前記指示マークの位置指示ウインドウにおける相対位置は、現在出力内容の、出力対象となる出力単位における相対位置を反映する位置指示表示手段と、
を含むことを特徴とする装置。
【請求項１１】
前記位置指示処理手段は、
提供可能な出力空間内に出力されている現在出力内容が変化したかどうかを検出し、提供可能な出力空間内に出力されている現在出力内容が変化した場合、提供可能な出力空間内に出力されている現在出力内容を所定の方法で位置指示表示手段に新たにマッピングして指示マークで表す第１検出手段をさらに含む、
ことを特徴とする請求項１０に記載の装置。
【請求項１２】
前記位置指示表示手段は、指示マークの位置指示ウインドウにおける位置が変化したかどうかを検出し、指示マークの位置指示ウインドウにおける位置が変化した場合、前記所定の方法で前記出力対象となる出力単位から対応の内容を選択して、提供可能な出力空間内に出力を行う第２検出手段をさらに含むことを特徴とする請求項１０または１１に記載の装置。
【発明の詳細な説明】
【技術分野】
【０００１】
本発明は、位置指示方法および位置指示装置に関し、コンピュータまたは情報出力の技術分野に属する。
【背景技術】
【０００２】
数十年以来、Ｗｉｎｄｏｗｓ(登録商標)および他の関連表示方法は、情報技術分野、特にコンピュータや通信などの産業における応用が益々多くなっている。コンピュータディスプレイは従来よりかなり大きくなったが、さらに大きな観察スクリーン、または表示空間をより充分に利用することでさらに大きな視認範囲を得ることが期待されている。とりわけ、ディスクトップコンピュータ、ノートコンピュータ、パームトップコンピュータ、携帯電話、ＰＤＡ、ＰＩＭ、タブレット（ｔａｂｌｅｔ  ＰＣ）、ワイトボード（ｗｈｉｔｅｂｏａｒｄ）、および電子ワイトボードのような種々のマンマシンインタラクション装置やデジタル電子装置などの他の表示装置において、さらに大きな表示空間が必要となる。
【発明の開示】
【発明が解決しようとする課題】
【０００３】
従来技術では、横方向、縦方向のスクロールバーを用いて、表示対象となる表示単位に対するウインドウの現在表示内容の位置関係を指示する。下記の欠陥が存在する。
（１）それぞれ横方向、縦方向のスクロールバーにより、表示対象となる表示単位に対する現在表示内容の相対位置を反映するため、表示対象となる表示単位に対する現在表示内容の相対位置を全面に反映することができない。
（２）横方向、縦方向のスクロールバーをそれぞれ移動する必要があるため、一般に４ステップではないと、目標領域に移動することができない。即ち、現在表示位置の変更は、スピードが遅く、正確性が悪く、柔軟性も不足で、表示しようとする内容を速やかに位置決めることができない。
（３）表示の位置に対して、２次元で任意に移動または選択をすることができない。
科学技術の発展に伴って、小体積のパームトップコンピュータや携帯電話などの電子製品の応用が日に日に普及されつつある。如何にして、小ウインドウの場合に、より大きな表示空間をなるべくユーザに提供し、現在表示内容の変更および移動をさらに効果的に実現するかが、現在のウインドウ技術研究の重要課題の１つとなっている。
【０００４】
印刷対象となる図形の平面面積が大きい一方、ユーザに使用されるプリンタが一定の平面サイズの図形または紙しか印刷できない場合、下記の欠陥が存在する。
（１）横方向、縦方向のスクロールバーにより印刷対象となる印刷単位に対する現在印刷内容の相対位置を反映するため、印刷対象となる印刷単位に対する現在印刷内容の相対位置を全面に反映することができない。
（２）横方向、縦方向のスクロールバーをそれぞれ移動する必要があるため、一般に４ステップではないと、目標領域に移動することができない。即ち、現在印刷位置の変更は、スピードが遅く、正確性が悪く、柔軟性も不足で、印刷しようとする内容を速やかに位置決めることができない。
（３）印刷の位置に対して、２次元で任意に移動または選択をすることができない。
キャッシュ対象となるキャッシュ単位が大きい一方、キャッシュ空間が限られている場合にも、上記類似の欠陥が存在する。
要するに、出力対象となる出力単位が大きい一方、出力空間が限られている場合、上記類似の欠陥が存在する。
【０００５】
本発明の目的は、出力対象となる出力単位に対する現在出力内容の相対位置を全面に反映することができる位置指示方法を提供することである。
【課題を解決するための手段】
【０００６】
上記目的を達成するために、本発明は、位置指示方法を提供している。該方法は、出力対象となる出力単位を決定するステップと、提供可能な出力空間内に出力を行い、前記提供可能な出力空間内に出力されている内容が現在出力内容となるステップと、出力対象となる出力単位に占められた出力空間が提供可能な出力空間より大きい場合、現在出力内容を所定の方法で位置指示ウインドウにマッピングして指示マークで表し、前記指示マークの位置指示ウインドウにおける相対位置は、現在出力内容の、出力対象となる出力単位における相対位置を反映するステップと、を含む。
【０００７】
また、上記目的を達成するために、本発明は、位置指示装置を提供している。該装置は、出力対象となる出力単位に占められた出力空間が提供可能な出力空間より大きいかどうかを判断し、出力対象となる出力単位に占められた出力空間が提供可能な出力空間より大きい場合、位置指示処理手段を呼び出す判断手段と、判断手段に接続され、提供可能な出力空間内に出力されている現在出力内容を所定の方法で位置指示表示手段にマッピングして指示マークで表す位置指示処理手段と、位置指示処理手段に接続され、位置指示ウインドウを出力し、前記指示マークの位置指示ウインドウにおける相対位置は、現在出力内容の、出力対象となる出力単位における相対位置を反映する位置指示表示手段と、を含む。
【発明の効果】
【０００８】
上記解決手段からわかるように、従来技術に対して、本発明は、現在出力内容を所定の方法で位置指示ウインドウにマッピングして指示マークで表し、前記指示マークの位置指示ウインドウにおける相対位置に、現在出力内容の、出力対象となる出力単位における相対位置を反映させることにより、出力対象となる出力単位に対する現在出力内容の相対位置を全面に反映することができるという利点がある。
【発明を実施するための最良の形態】
【０００９】
以下、図面および実施例を参照して、本発明の解決手段について更に詳しく説明する。
【００１０】
図１は本発明に係る位置指示方法のフローチャートである。該方法は下記のステップを含む。
【００１１】
ステップ１において、出力対象となる出力単位を決定する。
【００１２】
ステップ２において、提供可能な出力空間内に出力を行う。前記提供可能な出力空間内に出力されている内容が現在出力内容となる。
【００１３】
ステップ３において、出力対象となる出力単位に占められた出力空間が提供可能な出力空間より大きい場合、現在出力内容を所定の方法で位置指示ウインドウにマッピングして指示マークで表す。前記指示マークの位置指示ウインドウにおける相対位置は、現在出力内容の、出力対象となる出力単位における相対位置を反映する。
【００１４】
本実施例において、現在出力内容を所定の方法で位置指示ウインドウにマッピングして指示マークで表し、前記指示マークの位置指示ウインドウにおける相対位置に、現在出力内容の、出力対象となる出力単位における相対位置を反映させることにより、出力対象となる出力単位に対する現在出力内容の相対位置を全面に反映することができる。
【００１５】
現在出力内容が変化した場合、前記指示マークの前記位置指示ウインドウにおける相対位置は所定の方法で相応に変更される。
【００１６】
表示出力である場合、ウインドウ内の現在表示内容をドラッグして、新たな表示内容が現在表示内容となる。位置指示ウインドウにマッピングされた現在表示内容を表す指示マークの位置指示ウインドウにおける相対位置は、所定の方法で相応に変更される。
【００１７】
印刷出力である場合、現在印刷ジョブが完成し、または終了したとき、新たな印刷ジョブが現在印刷内容となる。位置指示ウインドウにマッピングされた現在印刷内容を表す指示マークの位置指示ウインドウにおける相対位置は、所定の方法で相応に変更される。
【００１８】
キャッシュ出力である場合、現在キャッシュジョブが取消または中止されたとき、新たなキャッシュジョブが現在キャッシュ内容となる。位置指示ウインドウにマッピングされた現在キャッシュ内容を表す指示マークの位置指示ウインドウにおける相対位置は、所定の方法で相応に変更される。
【００１９】
本実施例において、出力対象となる出力単位全体を移動し、または現在出力内容を変更すると、位置指示ウインドウにおける指示マークの位置指示ウインドウにおける相対位置も所定の方法で相応に変更される。この場合、位置指示ウインドウを観察することにより、出力対象となる出力単位全体に対する現在出力内容の位置を速やかに知ることができる。
【００２０】
指示マークを移動して、前記指示マークの位置指示ウインドウにおける位置が変化すると、前記所定の方法で前記出力対象となる出力単位から対応の内容を選択して、提供可能な出力空間内に出力を行う。
【００２１】
表示出力である場合、位置指示ウインドウにおける指示マークを移動して、指示マークの位置指示ウインドウにおける位置が変化すると、所定の方法で表示対象となる表示単位から対応の内容を選択して、現在ウインドウに表示出力を行う。
【００２２】
印刷出力である場合、位置指示ウインドウにおける指示マークを移動して、指示マークの位置指示ウインドウにおける位置が変化すると、所定の方法で印刷対象となる印刷単位から対応の内容を選択して、印刷出力を行う。
【００２３】
キャッシュ出力である場合、位置指示ウインドウにおける指示マークを移動して、指示マークの位置指示ウインドウにおける位置が変化すると、所定の方法でキャッシュ対象となるキャッシュ単位から対応の内容を選択して、キャッシュ出力を行う。
【００２４】
本実施例では、位置指示ウインドウにおける指示マークを移動することにより、現在出力内容を速やかに変更する。それぞれ横方向、縦方向のスクロールバーの移動で現在出力内容を変更する従来技術に比べて、ワンステップだけで目標領域に移動でき、即ち、現在表示位置の変更は、スピードが速く、正確性が高く、柔軟で、出力しようとする内容を速やかに位置決めできる。これにより、出力内容を２次元で任意に移動または選択することが可能になる。
【００２５】
上記実施例に記載された出力は、表示、印刷およびキャッシュに限られない。情報またはデータのトラフィックやプロセスなどに関するものが全て本発明の保護範囲内にあることは当業者にとって理解できることであろう。
【００２６】
以下の実施例では、表示出力を例として、本発明に係る位置指示方法のフローおよび作業プロセスを説明する。
【００２７】
図２は出力が表示出力である場合の位置指示方法のフローチャートである。該方法は以下のステップを含む。
【００２８】
ステップ１１において、表示対象となる表示単位を決定する。
【００２９】
ステップ２１において、ウインドウに表示を行う。前記ウインドウ内に表示されている内容が現在ページとなる。ウインドウはテレビのスクリーン、ディスプレイの表示スクリーン、または表示ソフトウェアの表示ウインドウなどのソフトウェア・ハードウェアの観察スクリーンであってよい。
【００３０】
ステップ３１において、表示対象となる表示単位に占められた表示空間が前記ウインドウの空間より大きい場合、現在ページを所定の方法で位置指示ウインドウにマッピングして指示マークで表す。前記指示マークの位置指示ウインドウにおける相対位置は、現在ページの、表示対象となる表示単位における相対位置を反映する。
【００３１】
本実施例において、現在ページのファイル全体における位置は、図３Ａ〜３Ｆに示された位置指示ウインドウおよびその中の指示マークで表されるようにしてよい。位置指示ウインドウ（表示アイコン、補助道具、仮想デバイスとも言える）は、任意の形状、例えば、矩形、正方形、六角形、楕円形および円形などのいずれかまたはこれらの組合せであってよい。種々の線や色の組合せによって、表示がさらに容易かつ鮮明になる。
【００３２】
指示マークは、矩形、円または線を含む任意の形状であってよい。指示マークの位置指示ウインドウにおける相対位置は、ファイル全体に対する現在ページの位置を反映している。図３Ａに示すように、小矩形はビュー領域における表示中の現在ページを表し、大矩形は表示対象となるファイル全体を表す。ファイル全体または表示される現在ページが移動すると、位置情報を指示する小矩形の大矩形における相対位置も同時に相応に移動させることによって、ファイル全体における現在ページの縦横２次元の変化を指示する。逆にも同じように、手、マウス、ペンまたは他の入力方式でトラッグして小矩形の位置が変化すると、表示もそれに伴って比例（または、ある関数関係Ｆ（Ｘ，Ｙ）＝ｆ（ｘ，ｙ））で変化する。図３Ｂ、図３Ｃ、図３Ｅ、図３Ｇ、図３Ｈにおいて、十字交差線の水平長線は文書の幅を表し、垂直長線は文書の長さを表し、十字交差線における短線（例えば、短い水平線または短い垂直線）は、ビュー領域における表示中の現在ページの相対水平またはｘ次元（或は、垂直またはｙ次元）位置を表す。ファイル全体または表示される部分が移動すると、十字交差線における短線の位置も同時に相応に移動させることによって、ファイル全体における現在ページの縦横２次元の変化を指示する。逆にも同じように、手、マウス、ペンまたは他の入力方式で十字交差線における横／縦短線をトラッグすると、表示もそれに伴って比例（または、ある関数関係Ｆ（Ｘ，Ｙ）＝ｆ（ｘ，ｙ））で変化する。図３Ｄにおいて、十字交差線の水平線（または垂直線）はビュー領域における表示中の現在ページの相対水平またはｘ次元（或は、垂直またはｙ次元）位置を表し、表示方法は図３Ｂとほぼ一致している。このように、表示されるページ全体における現在表示される部分の位置を正確かつ容易に表示することができ、操作も正確かつ容易になる。２次元で同時に移動するため、１回の操作で従来技術の通常４回の操作（１、スクロールバーに移動する。２、スクロールバーを移動する。３、他のスクロールバーに移動する。４、他のスクロールバーを移動する。）を完成し、スピードが約４倍に向上した。位置指示ウインドウ、およびビュー領域に表示される現在ページは、層状に配列するように設計されている。位置指示ウインドウは、ビュー領域に表示される現在ページに対して非透明の形式でトップ層に置かれる。位置指示ウインドウによって覆われる領域の図形または文字を観察しようとする場合、位置指示ウインドウをドラッグすればよい。位置指示ウインドウは、ビュー領域に表示される現在ページに対して全透明または半透明の形式で、トップ層またはボトム層に置かれるようにしてもよい。例えば、７０％の透明度に設計される場合、位置指示ウインドウが存在しても、現在ページの表示の完全性に影響を与えない。位置指示ウインドウによって覆われる領域の図形または文字を観察する際、位置指示ウインドウをドラッグする不便な操作は不要になる。図３Ａの大矩形および小矩形のエッジ線は、ビュー領域における表示中の現在ページに対して、同じまたは異なる透明度に設定されてよい。または、大矩形および小矩形を区分できるように、大矩形または小矩形内の充填色は、ビュー領域における表示中の現在ページに対して、異なる透明度に設定されてよい。図３Ｂ〜３Ｆに示すように、これらの図形は線からなり、透明と不透明との間にある（７０％透明の場合を含む）ように設定されてよい。従って、元のスクロールバーのバー状領域に比べて表示空間がさらに節約された。
【００３３】
図３Ａ〜図３Ｆを比較すると、図３Ａの表示方法は、最も直観的かつ便利であるのみではなく、従来のスクロールバーより優れ、なるべく大きな表示空間を利用者に提供でき、パームトップコンピュータおよび携帯電話に適用する良い選択肢である。図３Ｂの表示方法も簡単であり、図３Ｃ〜図３Ｅの表示方法も良い選択肢である。図３Ｆは図３Ｃの特例である。例えば、図３Ｂ、３Ｇ、３Ｈは図形表示に適用し、図３Ａは文字表示に適用し、図３Ｂは携帯電話のスクリーンでの表示などに適用する。
【００３４】
上記は２次元平面で表示する場合である。仮想空間または球面図であれば、複数次元で表示する場合もある。図３Ｇ、図３Ｈはそれぞれ３次元、４次元の場合に用いられ、ビュー領域における現在表示内容の、表示対象となる内容全体に対する相対位置は、使用方法が図３Ｂに類似する。
【００３５】
上記各図の表示は透明と不透明の間にあってよい。全透明の場合は、即ちその後方の内容を完全に表示することである。この場合、表示される部分のみが表示され、指示図形が隠されることで、表示空間がさらに大きくなる。マウスに近づく機能がさらに正確・迅速・容易に実現された上、空間が充分に利用されるため、ＩＴ、自動化機械分野の全ての関連表示に応用することができ、さらに、携帯電話、ＰＤＡ、ＰＩＭなどの表示空間が小さい場合に適用する。
【００３６】
図４は本発明に係る位置指示装置の実施例１の構成を示す図である。該位置指示装置は、判断手段１００と、位置指示処理手段２００と、位置指示表示手段３００とを含む。前記判断手段１００は、出力対象となる出力単位に占められた出力空間が提供可能な出力空間より大きいかどうかを判断し、出力対象となる出力単位に占められた出力空間が提供可能な出力空間より大きい場合、位置指示処理手段２００を呼び出す。前記位置指示処理手段２００は、判断手段１００に接続され、提供可能な出力空間内に出力されている現在出力内容を所定の方法で位置指示表示手段３００にマッピングして指示マークで表す。前記位置指示表示手段３００は、位置指示処理手段２００に接続され、位置指示ウインドウを出力する。前記指示マークの位置指示ウインドウにおける相対位置は、現在出力内容の、出力対象となる出力単位における相対位置を反映する。
【００３７】
図５は本発明に係る位置指示装置の実施例２の構成を示す図である。実施例２において、実施例１との区別としては、前記位置指示処理手段２００が、第１検出手段２０１をさらに含む。前記第１検出手段２０１は、提供可能な出力空間内に出力されている現在出力内容が変化したかどうかを検出し、提供可能な出力空間内に出力されている現在出力内容が変化した場合、提供可能な出力空間内に出力されている現在出力内容を所定の方法で位置指示表示手段３００に新たにマッピングして指示マークで表す。
【００３８】
図６は本発明に係る位置指示装置の実施例３の構成を示す図である。実施例３において、実施例２との区別としては、前記位置指示表示手段３００が、第２検出手段３０１をさらに含む。前記第２検出手段３０１は、指示マークの位置指示ウインドウにおける位置が変化したかどうかを検出し、指示マークの位置指示ウインドウにおける位置が変化した場合、前記所定の方法で前記出力対象となる出力単位から対応の内容を選択して、提供可能な出力空間内に出力を行う。
【００３９】
最後に、説明すべきものとして、上記実施例は本発明の技術案を説明するものだけである。本発明は上記実施例に限られない。好適な実施例を参照して本発明を詳しく説明したが、当業者であれば、本発明の技術案の精神および範囲を逸脱することなく、修正または均等置換えを行うことができると理解すべきである。
【図面の簡単な説明】
【００４０】
【図１】本発明に係る位置指示方法のフローチャートである。
【図２】出力が表示出力である場合の位置指示方法のフローチャートである。
【図３Ａ】本発明に係る位置指示ウインドウの形状を示す図の１である。
【図３Ｂ】本発明に係る位置指示ウインドウの形状を示す図の２である。
【図３Ｃ】本発明に係る位置指示ウインドウの形状を示す図の３である。
【図３Ｄ】本発明に係る位置指示ウインドウの形状を示す図の４である。
【図３Ｅ】本発明に係る位置指示ウインドウの形状を示す図の５である。
【図３Ｆ】本発明に係る位置指示ウインドウの形状を示す図の６である。
【図３Ｇ】本発明に係る位置指示ウインドウの形状を示す図の７である。
【図３Ｈ】本発明に係る位置指示ウインドウの形状を示す図の８である。
【図４】本発明に係る位置指示装置の実施例１の構成を示す図である。
【図５】本発明に係る位置指示装置の実施例２の構成を示す図である。
【図６】本発明に係る位置指示装置の実施例３の構成を示す図である。
【符号の説明】
【００４１】
１  出力対象となる出力単位を決定
２  提供可能な出力空間内に出力を行い、前記提供可能な出力空間内に出力されている内容が現在出力内容となる
３  現在出力内容を所定の方法で位置指示ウインドウにマッピング
【図１】
2009534724.tif 000003
【図２】
2009534724.tif 000004
【図３Ａ】
2009534724.tif 000005
【図３Ｂ】
2009534724.tif 000006
【図３Ｃ】
2009534724.tif 000007
【図３Ｄ】
2009534724.tif 000008
【図３Ｅ】
2009534724.tif 000009
【図３Ｆ】
2009534724.tif 000010
【図３Ｇ】
2009534724.tif 000011
【図３Ｈ】
2009534724.tif 000012
【図４】
2009534724.tif 000013
【図５】
2009534724.tif 000014
【図６】
2009534724.tif 000015
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
位置指示方法であって、
出力対象となる出力単位を決定するステップと、
提供可能な出力空間内に出力を行うステップと、
出力対象となる出力単位に占められた出力空間が提供可能な出力空間より大きい場合、現在出力されている内容を所定の方法で位置指示ウインドウにマッピングして指示マークで表し、前記指示マークの位置指示ウインドウにおける相対位置は、現在出力されている内容の、出力対象となる出力単位における相対位置を反映するステップと、
を含むことを特徴とする方法。
【請求項２】
現在出力されている内容が変化した場合、前記指示マークの前記位置指示ウインドウにおける相対位置を、前記所定の方法で相応に変更するステップをさらに含むことを特徴とする請求項１に記載の方法。
【請求項３】
指示マークを移動して、前記指示マークの位置指示ウインドウにおける位置が変化した場合、前記所定の方法で前記出力対象となる出力単位から対応の内容を選択して、提供可能な出力空間内に出力を行うステップをさらに含むことを特徴とする請求項１に記載の方法。
【請求項４】
出力が表示出力である場合、
前記出力対象となる出力単位を決定するステップは、表示対象となる表示単位を決定することを含み、
前記提供可能な出力空間内に出力を行うステップは、ウインドウに表示を行い、前記ウインドウ内に表示されている内容が現在ページとなることを含み、
表示対象となる表示単位に占められた表示空間が前記ウインドウの空間より大きい場合、現在ページを所定の方法で位置指示ウインドウにマッピングして指示マークで表し、前記指示マークの位置指示ウインドウにおける相対位置は、現在ページの、表示対象となる表示単位における相対位置を反映する、
ことを特徴とする請求項１に記載の方法。
【請求項５】
現在ページまたは出力対象となる出力単位を移動して、現在ページが変化した場合、前記指示マークの前記位置指示ウインドウにおける相対位置を、前記所定の方法で相応に変更することをさらに含むことを特徴とする請求項４に記載の方法。
【請求項６】
指示マークを移動して、前記指示マークの位置指示ウインドウにおける位置が変化した場合、前記所定の方法で前記表示対象となる表示単位から対応のページを選択して、ウインドウに表示を行うことをさらに含むことを特徴とする請求項４に記載の方法。
【請求項７】
出力が印刷出力である場合、
前記出力対象となる出力単位を決定するステップは、印刷対象となる印刷単位を決定することを含み、
前記提供可能な出力空間内に出力を行うステップは、印刷ヘッドに印刷を行い、前記印刷ヘッドに印刷されている内容が現在印刷ページとなることを含み、
印刷対象となる印刷単位に占められた印刷空間が提供可能な印刷空間より大きい場合、現在印刷ページを所定の方法で位置指示ウインドウにマッピングして指示マークで表し、前記指示マークの位置指示ウインドウにおける相対位置は、現在印刷ページの、印刷対象となる印刷単位における相対位置を反映する、
ことを特徴とする請求項１に記載の方法。
【請求項８】
出力がキャッシュ出力である場合、
前記出力対象となる出力単位を決定するステップは、キャッシュ対象となるキャッシュ単位を決定することを含み、
前記提供可能な空間内に出力を行うステップは、メモリにキャッシュを行い、前記メモリにキャッシュされている内容が現在キャッシュ内容となることを含み、
キャッシュ対象となるキャッシュ単位に占められたキャッシュ空間が提供可能なキャッシュ空間より大きい場合、現在キャッシュ内容を所定の方法で位置指示ウインドウにマッピングして指示マークで表し、前記指示マークの位置指示ウインドウにおける相対位置は、現在キャッシュ内容の、キャッシュ対象となるキャッシュ単位における相対位置を反映する、
ことを特徴とする請求項１に記載の方法。
【請求項９】
前記位置指示ウインドウまたは指示マークは、正方形、矩形、六角形、多角形、曲線多角形、楕円形、円形、その他の図形またはこれらの組合せを含む任意の形状、或いは、種々の線、面、体、色の１つまたは組合せ、および／或いは、輝度、諧調、コントラスト、透明度の１つまたは組合せを含む任意の表示方式を有することを特徴とする請求項１〜８のいずれか１項に記載の方法。
【請求項１０】
前記提供可能な出力空間は２次元より高いものであり、前記位置指示ウィンドウにおける位置指示は相応に２次元より高い次元で行われることを特徴とする請求項１に記載の方法。
【請求項１１】
位置指示装置であって、
出力対象となる出力単位に占められた出力空間が提供可能な出力空間より大きいかどうかを判断し、出力対象となる出力単位に占められた出力空間が提供可能な出力空間より大きい場合、位置指示処理手段を呼び出す判断手段と、
判断手段に接続され、提供可能な出力空間内に現在出力されている内容を所定の方法で位置指示表示手段にマッピングして指示マークで表す位置指示処理手段と、
位置指示処理手段に接続され、位置指示ウインドウを出力し、前記指示マークの位置指示ウインドウにおける相対位置は、現在出力されている内容の、出力対象となる出力単位における相対位置を反映する位置指示表示手段と、
を含むことを特徴とする装置。
【請求項１２】
前記位置指示処理手段は、
提供可能な出力空間内に現在出力されている内容が変化したかどうかを検出し、提供可能な出力空間内に現在出力されている内容が変化した場合、提供可能な出力空間内に現在出力されている内容を所定の方法で位置指示表示手段に新たにマッピングして指示マークで表す第１検出手段をさらに含む、
ことを特徴とする請求項１１に記載の装置。
【請求項１３】
前記位置指示表示手段は、指示マークの位置指示ウインドウにおける位置が変化したかどうかを検出し、指示マークの位置指示ウインドウにおける位置が変化した場合、前記所定の方法で前記出力対象となる出力単位から対応の内容を選択して、提供可能な出力空間内に出力を行う第２検出手段をさらに含むことを特徴とする請求項１１または１２に記載の装置。
【請求項１４】
前記提供可能な出力空間は２次元より高いものであり、前記位置指示ウィンドウにおける位置指示は相応に２次元より高い次元で行われることを特徴とする請求項１１に記載の装置。
【手続補正２】
【補正対象書類名】明細書
【補正対象項目名】０００５
【補正方法】変更
【補正の内容】
【０００５】
本発明の目的は、出力対象となる出力単位に対する現在出力内容の相対位置を全面に反映することができる位置指示方法および位置指示装置を提供することである。
【手続補正３】
【補正対象書類名】明細書
【補正対象項目名】０００６
【補正方法】変更
【補正の内容】
【０００６】
上記目的を達成するために、本発明は、位置指示方法を提供している。該方法は、出力対象となる出力単位を決定するステップと、提供可能な出力空間内に出力を行うステップと、出力対象となる出力単位に占められた出力空間が提供可能な出力空間より大きい場合、現在出力されている内容を所定の方法で位置指示ウインドウにマッピングして指示マークで表し、前記指示マークの位置指示ウインドウにおける相対位置は、現在出力されている内容の、出力対象となる出力単位における相対位置を反映するステップと、を含む。
【手続補正４】
【補正対象書類名】明細書
【補正対象項目名】０００７
【補正方法】変更
【補正の内容】
【０００７】
また、上記目的を達成するために、本発明は、位置指示装置を提供している。該装置は、出力対象となる出力単位に占められた出力空間が提供可能な出力空間より大きいかどうかを判断し、出力対象となる出力単位に占められた出力空間が提供可能な出力空間より大きい場合、位置指示処理手段を呼び出す判断手段と、判断手段に接続され、提供可能な出力空間内に現在出力されている内容を所定の方法で位置指示表示手段にマッピングして指示マークで表す位置指示処理手段と、位置指示処理手段に接続され、位置指示ウインドウを出力し、前記指示マークの位置指示ウインドウにおける相対位置は、現在出力されている内容の、出力対象となる出力単位における相対位置を反映する位置指示表示手段と、を含む。
【手続補正５】
【補正対象書類名】明細書
【補正対象項目名】００３４
【補正方法】変更
【補正の内容】
【００３４】
上記は２次元平面で表示する場合である。仮想空間または球面図であれば、２次元より高い次元で表示する場合もある。図３Ｇ、図３Ｈはそれぞれ３次元、４次元の場合に用いられ、ビュー領域における現在表示内容の、表示対象となる内容全体に対する相対位置は、使用方法が図３Ｂに類似する。
【国際調査報告】
2009534724.tif 000016
2009534724.tif 000017
2009534724.tif 000018
2009534724.tif 000019